(57)【特許請求の範囲】
【請求項１】
アーム部の正面に取り付けられる表示板に、当該ミシンの使用に際して必要な送り目の長さ、主副送り歯の差動比、使用する針の左右と針数、かがり幅、メスの使用不使用、上ルーパーの使用不使用、補助ルーパーの使用不使用、補助ベッドの使用不使用、かがり爪の使用不使用という多数の操作の種類のうちから、選択する縫製に対応して取捨選択すべき操作の種類表示欄を横に配設し、この種類表示欄の下部に沿って適宜幅の透明部を設けるとともに、当該ミシンの縫製機能を表示したプログラム表示欄を設け、上記表示板の透明部の裏側にドラムを回転自在に横架し、このドラムの周面に、上記種類表示欄とプログラム表示欄の各欄に対応させて縫製に必要な各部材の使用不使用とか、選択された縫製に対応する所定の数値を指示する操作指示欄を設け、上記ドラムの回転軸をアーム部の上部に設置した糸張力調節カム軸に従動回転させるように構成したオーバーロックミシンにおける縫製指示装置において、前記種類表示欄に、かがり爪の使用不使用の表示欄と、上ルーパーの使用不使用の表示欄と、送り目の長さの表示欄との３欄を具え、前記ドラムの回転軸には、上記各表示欄に対応させて縫製に必要な器材の使用不使用を切り換える３つのカムを固定し、第１のカムには、選択された縫製に合わせてかがり爪を進退させるように構成した当接子、リンク、ばねおよびレバーを組み合わせた連動機構を連結し、第２のカムには、上ルーパーの作動非作動を切り換えるように構成した当接子、リンク、ばねおよびレバーを組み合わせた連動機構を連結して、その作動先端部を、上ルーパー駆動軸上に備えられたクラッチのシフターに連結し、第３のカムには、調子函の傾斜を適正な送り目位置に調節するように構成した当接子、リンク、ばねおよびレバーを組み合わせた連動機構を連設して、その作動先端部を調子函に連結し、選択された縫製に対応する前記ドラムの回転位置において、かがり爪を自動的に進退させ、上ルーパーの作動非作動を自動的に切り換え、上記調子函の傾斜を自動的に適正な送り目位置にそれぞれ調節できるようにした各連動機構を上記第１から第３のカムに対応させて付設してなる縫製指示装置。
【発明の詳細な説明】
【０００１】
【発明の属する技術分野】
この発明は、オーバーロックミシンにおける縫製指示装置に関し、ミシンにプログラムされている縫製の種類に従った各部の機構の使用不使用と選択された縫製に適する数値を簡単な操作によって知得できるようにすることにより、オーバーロックミシンを適正に操作できるようにしたことを特長とするものである。
【０００２】
【従来の技術】
オーバーロックミシンには、選択した縫製に応じて使用すべき針数とルーパーの使い分けとか、選択した縫製に望ましい最適の布送り量とかかがり幅を知ることとか、メスとかかがり爪とかの使用不使用を切り換える操作など、ミシンにプログラムされているすべての縫製に応じた機能の使い分けに習熟する必要がある。
【０００３】
【発明が解決しようとする課題】
しかしながら、従来これらの操作は、所望の縫製に応じて例えば添付の表とかマニュアルを参照するとか、あるいはミシンの各部に機能別に分けられている指示を理解しながら使用すべき部材をまず選択し、これを適正に操作する必要がある。特に初心者においては、これらの操作がきわめて困難であって、時間と手数を要していた。
【０００４】
本発明が解決しようとする課題は、上記のようなオーバーロックミシンの使用上の不便さを解消することにあり、初心者にも選択した縫製に応じて各部に適切な操作を施すことができるようにすることにある。
【０００５】
【課題を解決するための手段】
そこで本発明は、アーム部の正面に取り付けられる表示板に、当該ミシンの使用に際して必要な送り目の長さ、主副送り歯の差動比、使用する針の左右と針数、かがり幅、メスの使用不使用、上ルーパーの使用不使用、補助ルーパーの使用不使用、補助ベッドの使用不使用、かがり爪の使用不使用という多数の操作の種類のうちから、選択する縫製に対応して取捨選択すべき操作の種類表示欄を横に配設し、この種類表示欄の下部に沿って適宜幅の透明部を設けるとともに、当該ミシンの縫製機能を表示したプログラム表示欄を設け、上記表示板の透明部の裏側にドラムを回転自在に横架し、このドラムの周面に、上記種類表示欄とプログラム表示欄の各欄に対応させて縫製に必要な各部材の使用不使用とか、選択された縫製に対応する所定の数値を指示する操作指示欄を設け、上記ドラムの回転軸をアーム部の上部に設置した糸張力調節カム軸に従動回転させるように構成したオーバーロックミシンにおける縫製指示装置において、前記種類表示欄に、かがり爪の使用不使用の表示欄と、上ルーパーの使用不使用の表示欄と、送り目の長さの表示欄との３欄を具え、前記ドラムの回転軸には、上記各表示欄に対応させて縫製に必要な器材の使用不使用を切り換える３つのカムを固定し、第１のカムには、選択された縫製に合わせてかがり爪を進退させるように構成した当接子、リンク、ばねおよびレバーを組み合わせた連動機構を連結し、第２のカムには、上ルーパーの作動非作動を切り換えるように構成した当接子、リンク、ばねおよびレバーを組み合わせた連動機構を連結して、その作動先端部を、上ルーパー駆動軸上に備えられたクラッチのシフターに連結し、第３のカムには、調子函の傾斜を適正な送り目位置に調節するように構成した当接子、リンク、ばねおよびレバーを組み合わせた連動機構を連設して、その作動先端部を調子函に連結し、選択された縫製に対応する前記ドラムの回転位置において、かがり爪を自動的に進退させ、上ルーパーの作動非作動を自動的に切り換え、上記調子函の傾斜を自動的に適正な送り目位置にそれぞれ調節できるようにした各連動機構を上記第１から第３のカムに対応させて付設してなる縫製指示装置を提供するものである。
【０００６】
上記のように構成した本発明指示装置は、ドラムの操作指示欄に表示したプログラムの１つを表示板の透明部に一致させると、当該種類表示欄に選択した縫製に必要な部材の選択とか数値が指示され、その指示に従って所定の各部の操作をすれば選択した縫製機能が適正に作動する。
例えば図１に示すように、プログラム１（カバーヘム）を選択したときの送り目量は３．０ミリで、主副の送り歯の差動比は１／１、針は左２本を装着し、かがり幅は３．５ミリ、上ルーパーは非使用、メスも非使用、補助ルーパーと補助ベッドとかがり爪はそれぞれ不使用位置におくことが指示される。
【０００７】
また、本発明は、前記操作の種類表示欄に、かがり爪の使用不使用の表示欄と、上ルーパーの使用不使用の表示欄と、送り目の長さの表示欄との３欄を具え、前記ドラムの回転軸には、上記各表示欄に対応させて縫製に必要な器材の使用不使用を切り換える３つのカムを固定し、第１のカムには、選択された縫製に合わせてかがり爪を進退させるように構成した当接子、リンク、ばねおよびレバーを組み合わせた連動機構を連結し、第２のカムには、上ルーパーの作動非作動を切り換えるように構成した当接子、リンク、ばねおよびレバーを組み合わせた連動機構を連結して、その作動先端部を、上ルーパー駆動軸上に備えられたクラッチのシフターに連結し、第３のカムには、調子函の傾斜を適正な送り目位置に調節するように構成した当接子、リンク、ばねおよびレバーを組み合わせた連動機構を連設して、その作動先端部を調子函に連結し、選択された縫製に対応する上記ドラムの回転位置において、かがり爪を自動的に進退させ、上ルーパーの作動非作動を自動的に切り換え、上記調子函の傾斜を自動的に適正な送り目位置にそれぞれ調節できるようにした上記各連動機構を上記第１から第３のカムに対応させて備えることによって、所望のプログラムの選択と同時に所定の連動機構を作動させ、自動的に選択した縫製に必要な器材の操作を不要にする。したがって、この種の指示装置の適正な操作と使用をより一層促進することができる。
【０００８】
【実施例】
以下に本発明の実施例を図面について説明する。
図１において、１はミシンのアーム部正面に取り付けられる表示板、２は表示板１に備えた縫製操作別の種類表示欄で、この実施例において種類表示欄２は、図示左から、送り目の長さ表示欄２ａ、主副送り歯の差動比表示欄２ｂ、使用する針の数と左右の表示欄２ｃ、かがり幅表示欄２ｄ、メスの使用不使用の表示欄２ｅ、上ルーパーの使用不使用の表示欄２ｆ、補助ルーパーの使用不使用の表示欄２ｇ、補助ベッドの使用不使用の表示欄２ｈ、かがり爪の使用不使用の表示欄２ｉからなる。
【０００９】
表示板１は、上記種類表示欄２の下縁にそって透明部３を有し、その下方に縫製の種類を表示したプログラム表示欄４を有する。このミシンに設定したプログラムは、同表示欄４に示すように１０ある。
【００１０】
表示板１の裏側には、図２以下に示すように、ブラケット６に両端部を軸受けさせて回転軸７を横架し、この回転軸７に取り付けたドラム５が回転自在に備えられている。
ドラム５の周面にはプログラム順に従って縦軸に１０のプログラム番号を付して、横軸上に、上記種類表示欄２の各欄２ａ〜２ｉに対応して選ばれた縫製に対する各部材の要不要の表示とか適正な所定の数値を表示した操作指示欄５ａが記されている。
図１に示すように、プログラム１（カバーヘム）を表示板１の透明部３に位置させたとき、送り目量は３．０ミリで、主副の送り歯の差動比は１／１、針は左２本を装着し、かがり幅は３．５ミリ、上ルーパーとメスと、補助ルーパーと補助ベッドとかがり爪はそれぞれ不使用位置におくことが指示される。
【００１１】
この実施例において、ドラム５を回転させる前記回転軸７には、同じく図２〜図８に示すように３個のカム８，９，１０が固定されている。
第１のカム８は、図２，３に示すように構成した連動機構８ａを介してかがり爪２３を使用位置不使用位置に切り換えるものである。
この連動機構８ａは、カム８に当接子１１を接しさせた揺動レバー１２と、カム追従用の牽引ばね１３と、リンク１４と、揺動レバー１５と、伝動軸１６を介し連なる他端の揺動レバー１７、１８とリンク１９ならびにリンク２０とで構成されており、先端部のリンク２０を介して、メス台２２に取り付けられたかがり爪２３の進退用レバー２１を揺動させるように作動して、選択されたプログラムに応じてかがり爪２３を自動的に所定位置に前進させたり、不使用位置に後退させる。
【００１２】
また第２のカム９は、図４，５，６に示すように構成した連動機構９ｂを介して上ルーパー３７を作動状態と非作動状態に切り換えるものである。
連動機構９ｂは、同上図４に示すように、該カム９に当接子２４を接しさせた揺動レバー２５と、カム追従用の牽引ばね２６と、リンク２７および揺動レバー２８と、図５に示すように、揺動レバー２８の揺動を水平方向の揺動に変換する２本１組のレバー２９とベルクランク形のレバー３０とで構成されている。
ベルクランク形のレバー３０の先端部に備えたピン３０’は、上ルーパー駆動軸３１上に備えたシフター３２と係合させることにより、同軸上に備えられたクラッチ３３を入り切りして、前記プログラムに従って上ルーパー駆動軸３１の反転動作に上ルーパー３７の揺動動作を接離させるように作動する。
【００１３】
なおこの実施例に備えられたクラッチ３３は、図５に示されるように、シフター３２の側方に基端部を取り付けられた長いピン３３ａと、上ルーパー駆動軸３１に固定されて該ピン３３ａを摺動自在に嵌合するスリーブ３３ｂと、同軸上に回転自在に嵌合してシフター３２の変位に従って上記ピン３３ａの先端部を嵌合、離脱させる伝動レバー３３ｃとで構成されている。
上記伝動レバー３３ｃは、図６に示されるように、同軸３１上に嵌合する上ルーパークランク３４と連結されて、上ルーパーロッド３５と該ロッドの支持軸受３６を介して上ルーパー３７を駆動する。
【００１４】
次に第３のカム１０は、図７，８に示すように構成した連動機構１０ｃを介して調子函３８を所定角度に傾斜させ、選択された縫製に従って送り目量を自動的に調整するものである。
連動機構１０ｃは、同上図７，８に示されるように、下端に備えたカム追従用の牽引ばね３９に引かれて、該カム１０の上面に当接する当接子４０と、リンク４１と、調子函３８の側面から一体に延長させたレバー４２とで構成されており、前記プログラムの選択により回転する第３のカム１０に追従して昇降動作し、支持軸４３に固定されている調子函３８の傾斜角度を変化させる。
【００１５】
ドラム５の回転軸７は、図２，４に示すように、アーム部に設置した従来公知の自動糸調子器４４のテンションカム軸４５との間にタイミングベルト４６を張設して、同軸４５の外端に備えたダイヤル４７の回転操作に連動する。
従ってこのミシンにおいては、縫製プログラムの選択と、選択された縫製に適した糸調子の調整とが同時にできるように構成されている。
【００１６】
なお、本発明の実施に際し、ミシンに設定するプログラムの種類は、本発明を付設するオーバーロックミシンの機能に応じて適宜に変更されるので、表示板１に表示する操作の種類表示欄２と、ドラムの周面に表示する操作指示欄５ａは図示の態様に限定されない。
【００１７】
【発明の効果】
以上のように構成した本発明によれば、ドラムを回転して所望のプログラムを選択すると、同時に適正な糸調子が設定できる。また、表示板の操作の種類表示欄と、透明部を透かして見える該ドラム周面の操作指示欄の表示を参照して、選択した縫製に必要な各部材の操作とか所定の数値設定をすることができる上に、選択された縫製に応じて、かがり爪の切り換えとか、上ルーパーの使用不使用の切り換えとか、送り目の調節を自動的に連動させることができるので、複雑なオーバーロックミシンの使用がきわめて便利になり、初心者にも適正な操作ができるようになるというきわめて優れた効果が期待できる。
【図面の簡単な説明】
【図１】図１は本発明の実施例を示す表示板の正面図
【図２】図２は主としてかがり爪の連動機構を示す一部切欠正面図
【図３】図３は図２の側面図
【図４】図４は主として上ルーパーの連動機構を示す一部切欠正面図
【図５】図５は上ルーパーの連動機構の平面図
【図６】図６は上ルーパー部分の一部切欠正面図
【図７】図７は主として調子函の連動機構を示す一部切欠正面図
【図８】図８は同上の一部切欠側面図である。
【符合の説明】
１  表示板
２  操作の種類表示欄
３  透明部
４  プログラム表示欄
５  ドラム
５ａ  操作指示欄
６  ブラケット
７  回転軸
８  第１のカム
９  第２のカム
１０  第３のカム
８ａ  連動機構
１１  当接子
１２  揺動レバー
１３  牽引ばね
１４  リンク
１５  揺動レバー
１６  伝動軸
１７  揺動レバー
１８  揺動レバー
１９  リンク
２０  リンク
２１  進退用レバー
２２  メス台
２３  かがり爪
９ｂ  連動機構
２４  当接子
２５  揺動レバー
２６  牽引ばね
２７  リンク
２８  揺動レバー
２９  レバー
３０  レバー
３0'  ピン
３１  上ルーパー駆動軸
３２  シフター
３３  クラッチ
３３ａ  ピン
３３ｂ  スリーブ
３３ｃ  伝動レバー
３４  上ルーパークランク
３５  上ルーパーロッド
３６  支持軸受
３７  上ルーパー
１０ｃ  連動機構
３８  調子函
３９  牽引ばね
４０  当接子
４１  リンク
４２  レバー
４３  支持軸
４４  自動糸調子器
４５  テンションカム軸
４６  タイミングベルト
４７  ダイヤル
【図１】
0004378484.tif 000002
【図２】
0004378484.tif 000003
【図３】
0004378484.tif 000004
【図４】
0004378484.tif 000005
【図５】
0004378484.tif 000006
【図６】
0004378484.tif 000007
【図７】
0004378484.tif 000008
【図８】
0004378484.tif 000009